(57)【要約】【課題】戸当たり本体を目立たずに、しかも扉を傷つけることなく容易に扉に装着することができる戸当たりを提供すること。【解決手段】扉Ｄ側に配設されるマグネット１を備えた戸当たり本体２と、ストッパ片３を床面から出没するように揺動可能に配設した係止具本体４とを備え、扉Ｄが所定の位置にきたときに、マグネット１の吸着作用によりストッパ片３を床面より突出させて戸当たり本体２に当接させ、それ以上の開扉を阻止するようにした戸当たりにおいて、ストッパ片３に係脱可能に係止する係止片５と、係止片５を操作する操作片６とを戸当たり本体２に設けるとともに、戸当たり本体２を扉Ｄの下面に添着して取り付けるクランプ状の取付部７を設ける。【選択図】図１
2008308950.tif 000002
【特許請求の範囲】
【請求項１】
扉側に配設されるマグネットを備えた戸当たり本体と、ストッパ片を床面から出没するように揺動可能に配設した係止具本体とを備え、扉が所定の位置にきたときに、マグネットの吸着作用によりストッパ片を床面より突出させて戸当たり本体側に当接させ、それ以上の開扉を阻止するようにした戸当たりにおいて、ストッパ片に係脱可能に係止する係止片と、該係止片を操作する操作片とを戸当たり本体に設けるとともに、該戸当たり本体を扉の下面に添着して取り付けるクランプ状の取付部を設けたことを特徴とする戸当たり。
【請求項２】
取付部が、戸当たり本体の一端に固定された固定爪部と、戸当たり本体の他端にねじ固定される可動爪部とを備えたことを特徴とする請求項１記載の戸当たり。
【発明の詳細な説明】
【技術分野】
【０００１】
本発明は、戸当たりに関し、特に、床面のバリアフリー化を図るため床面からの突出高さを低くするとともに、フック掛けなどの面倒な操作をなくして確実に定位置で扉を停止させ、開扉状態を保持することができる戸当たりに関するものである。
【背景技術】
【０００２】
従来の戸当たりは、扉に当接する側にゴムなどの緩衝体を配設し、かつ、床面に突出するように取り付ける戸当たり本体と、扉側に取り付けた係止具とよりなり、開扉時戸当たり本体に扉を当接するようにし、戸当たり本体に備えたフックを係止具に引っ掛けて係止できるようにしている。
これにより、扉を許容範囲以上に開かないようにするとともに、戸当たり本体に配設したフック或いは止め金具を、扉側の係止片に引っ掛けることにより、定位置で解放状態を保持するようにしている。
【０００３】
ところで、このような戸当たりにおいては、床面より上方に、少なくとも扉の下端部側面と接触するよう突出させて戸当たり本体を取り付けているため、床面に突起物が高く突出するものとなり、閉扉時にこれが通行の妨げとなったり、場合によっては、歩行時に躓いたりするという問題があった。
また、開扉状態を保つためには、腰を屈めて扉側に取り付けたフックを戸当たりに引掛け、また、扉を閉じる場合にもこのフックを外す作業を要し、特に高齢者にとってはフックの掛け外し時に腰を屈めての操作が困難になるという問題があった。
【０００４】
そこで、本件出願人は、下記特許文献により上記問題を解消した戸当たりを提案している。
この戸当たりは、扉側に配設されるマグネットを備えた戸当たり本体と、ストッパ片を床面から出没するように揺動可能に配設した係止具本体とを備え、扉が所定の位置にきたときに、マグネットの吸着作用によりストッパ片を床面より突出させて戸当たり本体側に当接させ、それ以上の開扉を阻止するようにしている。
しかし、この戸当たりにおいては、ストッパ片に係脱可能に係止する係止片と、該係止片を操作する操作片とを備えた戸当たり本体が、扉の一方の面に露出するように配設されることから、美観を損ねることがあり、また、戸当たり本体を扉にねじにより固定することから、扉を傷つけるという問題があった。
【特許文献１】特開２００４−３３２３２３号公報
【発明の開示】
【発明が解決しようとする課題】
【０００５】
本発明は、上記従来の戸当たりが有する問題点に鑑み、戸当たり本体を目立たずに、しかも扉を傷つけることなく容易に扉に装着することができる戸当たりを提供することを目的とする。
【課題を解決するための手段】
【０００６】
上記目的を達成するため、本発明の戸当たりは、扉側に配設されるマグネットを備えた戸当たり本体と、ストッパ片を床面から出没するように揺動可能に配設した係止具本体とを備え、扉が所定の位置にきたときに、マグネットの吸着作用によりストッパ片を床面より突出させて戸当たり本体側に当接させ、それ以上の開扉を阻止するようにした戸当たりにおいて、ストッパ片に係脱可能に係止する係止片と、該係止片を操作する操作片とを戸当たり本体に設けるとともに、該戸当たり本体を扉の下面に添着して取り付けるクランプ状の取付部を設けたことを特徴とする。
【０００７】
この場合において、取付部が、戸当たり本体の一端に固定された固定爪部と、戸当たり本体の他端にねじ固定される可動爪部とを備えることができる。
【発明の効果】
【０００８】
本発明の戸当たりによれば、扉側に配設されるマグネットを備えた戸当たり本体と、ストッパ片を床面から出没するように揺動可能に配設した係止具本体とを備え、扉が所定の位置にきたときに、マグネットの吸着作用によりストッパ片を床面より突出させて戸当たり本体側に当接させ、それ以上の開扉を阻止するようにした戸当たりにおいて、ストッパ片に係脱可能に係止する係止片と、該係止片を操作する操作片とを戸当たり本体に設けるとともに、該戸当たり本体を扉の下面に添着して取り付けるクランプ状の取付部を設けることから、戸当たり本体をクランプ状の取付部により扉の下に取り付けることができ、これにより、戸当たり本体を目立たずに、しかも扉を傷つけることなく容易に扉に装着することができる。
【０００９】
また、取付部が、戸当たり本体の一端に固定された固定爪部と、戸当たり本体の他端にねじ固定される可動爪部とを備えることにより、戸当たりを簡易に構成するとともに、戸当たり本体を容易に扉に装着することができる。
【発明を実施するための最良の形態】
【００１０】
以下、本発明の戸当たりの実施の形態を、図面に基づいて説明する。
【実施例１】
【００１１】
図１〜図５に、本発明の戸当たりの一実施例を示す。
この戸当たりは、扉Ｄ側に配設されるマグネット１を備えた戸当たり本体２と、ストッパ片３を床面から出没するように揺動可能に配設した係止具本体４とを備え、扉Ｄが所定の位置にきたときに、マグネット１の吸着作用によりストッパ片３を床面より突出させて戸当たり本体２に当接させ、それ以上の開扉を阻止するようにしている。
そして、この戸当たりは、ストッパ片３に係脱可能に係止する係止片５と、該係止片５を操作する操作片６とを戸当たり本体２に設けるとともに、該戸当たり本体２を扉Ｄの下面に添着して取り付けるクランプ状の取付部７を設けている。
【００１２】
係止具本体４は、図１〜図２に示すように、床面にフラットに取り付けられるように形成した係止具本体ベース４１と、該係止具本体ベース４１に枢支され、戸当たり本体２のマグネット１の励磁作用により吸着され先端部が突出するように揺動するストッパ片３と、ストッパ片３の上方を除いて係止具本体ベース４１の表面を覆うカバー４２とにより構成されている。
【００１３】
ストッパ片３には、図１〜図２に示すように、先端側に係止片５が係合する貫通孔３１が形成されるとともに、基端部を軸３２により揺動可能になるように支持されている。
【００１４】
一方、戸当たり本体２は、図１〜図４に示すように、厚板状のケーシング２１と、該ケーシング２１に枢支され、ケーシング２１の両側で揺動することによりストッパ片３に係脱する係止片５と、ケーシング２１の基部側で突出し、略水平に揺動することにより係止片５を操作する操作片６とを備えている。
操作片６は、ケーシング２１の基部に枢支されており、図１に示すように、係止片５の後部爪５１に突部６１を係合させることにより係止片５を上昇させ、また、図２に示すように、係止片５の後部爪５１から突部６１を外すことにより、係止片５を下降させる。
なお、ケーシング２１は、ストッパ片３を床面から吸着するマグネット１を備えるとともに、ストッパ片３が突出したときに嵌合する嵌合凹部２２を備え、係止片５がストッパ片３に係合することにより扉Ｄの閉止側への移動を阻止する。
【００１５】
また、取付部７は、ケーシング２１の一端に固定された固定爪部２３と、ケーシング２１の他端にねじ固定される可動爪部２４とを備えている。
固定爪部２３と可動爪部２４は、戸当たり本体２を扉Ｄの下面に添着して取り付けられるように上方に延設されており、可動爪部２４は、ケーシング２１に螺合するねじ２５で締着することにより扉Ｄを締め付けて戸当たり本体２を扉Ｄに固定する。
また、可動爪部２４は、ねじ２５の閉め具合によって扉Ｄの厚みに対処するとともに、ケーシング２１の一部に摺動可能に重なるスライドカバー２６により、ねじ２５を隠して化粧をしている。
【００１６】
かくして、本実施例の戸当たりは、扉Ｄ側に配設されるマグネット１を備えた戸当たり本体２と、ストッパ片３を床面から出没するように揺動可能に配設した係止具本体４とを備え、扉Ｄが所定の位置にきたときに、マグネット１の吸着作用によりストッパ片３を床面より突出させて戸当たり本体２側に当接させ、それ以上の開扉を阻止するようにした戸当たりにおいて、ストッパ片３に係脱可能に係止する係止片５と、該係止片５を操作する操作片６とを戸当たり本体２に設けるとともに、該戸当たり本体２を扉Ｄの下面に添着して取り付けるクランプ状の取付部７を設けることから、戸当たり本体２をクランプ状の取付部７により扉Ｄの下に取り付けることができ、これにより、戸当たり本体２を目立たずに、しかも扉Ｄを傷つけることなく容易に扉Ｄに装着することができる。
【００１７】
また、取付部７が、戸当たり本体２の一端に固定された固定爪部２３と、戸当たり本体２の他端にねじ固定される可動爪部２４とを備えることにより、戸当たりを簡易に構成するとともに、戸当たり本体２を容易に扉Ｄに装着することができる。
【００１８】
以上、本発明の戸当たりについて、その実施例に基づいて説明したが、本発明は上記実施例に記載した構成に限定されるものではなく、その趣旨を逸脱しない範囲において適宜その構成を変更することができる。
【産業上の利用可能性】
【００１９】
本発明の戸当たりは、戸当たり本体を目立たずに、しかも扉を傷つけることなく容易に扉に装着するという特性を有していることから、特に、床との間に間隔を設ける最近の扉の戸当たりとして好適に用いることができる。
【図面の簡単な説明】
【００２０】
【図１】本発明の戸当たりの一実施例を示し、（ａ）は係止片が上昇した平面図、（ｂ）は同断面図である。
【図２】同戸当たりを示し、（ａ）は係止片が下降した平面図、（ｂ）は同断面図である。
【図３】同戸当たりの取付部の幅を広くした状態を示し、（ａ）は係止片が上昇した平面図、（ｂ）は同断面図、（ｃ）は係止片が下降した平面図、（ｄ）は同断面図である。
【図４】同戸当たりを示し、（ａ）は取付部の幅をさらに広くした状態を示す平面図、（ｂ）はケーシングの３面図である。
【図５】同戸当たりを示し、（ａ）は係止片の側面図、（ｂ）は操作片及び係止片を装着したケーシングの平面図、（ｃ）は固定爪部を省略したケーシングの正面図である。
【符号の説明】
【００２１】
１    マグネット
２    戸当たり本体
２１  ケーシング
２２  嵌合凹部
２３  固定爪部
２４  可動爪部
２５  ねじ
２６  スライドカバー
３    ストッパ片
３１  貫通孔
３２  軸
４    係止具本体
４１  係止具本体ベース
４２  カバー
５    係止片
５１  後部爪
６    操作片
６１  突部
７    取付部
【図１】
2008308950.tif 000003
【図２】
2008308950.tif 000004
【図３】
2008308950.tif 000005
【図４】
2008308950.tif 000006
【図５】
2008308950.tif 000007